(57)【要約】【課題】対話的インタフェースにおけるユーザの操作履歴から、ユーザが必要とする操作を選びやすくする表示装置を提供すること。【解決手段】選択数更新部１３で選択された選択肢の情報を受け取りその選択肢の選択をメモリに保存し、表示ＯＳＤ決定部１４で、次表示メニューの選択肢の選択率をメモリから読み出し各選択肢の選択率に応じて表示する選択肢のサイズを計算し、そのサイズに基づいてＯＳＤ画像生成部１５で選択肢画像をそれぞれの表示サイズに変更した上で、表示画面部２２にて、放送からデコードされた画像や、外部入力の画像と合成・出力を行う。【選択図】図１
2009021831.tif 000002
【特許請求の範囲】
【請求項１】
ユーザの操作内容を受け付け、操作データとして出力する操作内容受信部と、
前記操作データからメニューＩＤおよび前記メニューＩＤに対応する複数の選択肢ＩＤを抽出するＣＰＵと、
各々の選択肢ＩＤに対して、ユーザ操作によって選択された回数を示す選択数データおよび画像データを保持するメモリと、
前記ＣＰＵより入力されたメニューＩＤと前記メニューＩＤに属する複数の選択肢ＩＤに対応する、選択数データおよび選択肢ＩＤに対応した画像データを前記メモリから読み出し、
前記選択肢ＩＤに対応する選択数データに基づき、
前記選択肢ＩＤに対応した画像データの画像サイズを算出し、ＯＳＤ画像データを作成する表示ＯＳＤ決定部と、
前記ＯＳＤ画像データを表示する表示部を備えた、表示装置。
【請求項２】
前記ＣＰＵは、さらにユーザが選択した選択肢ＩＤを抽出し、
前記ＣＰＵにおいて抽出した前記ユーザが選択した選択肢ＩＤに対応する選択数データを前記メモリより読み出し、読み出した前記選択数データに１を加算し、前記メモリに上書きする事を特徴とする請求項１に記載の表示装置。
【発明の詳細な説明】
【技術分野】
【０００１】
本発明は、ユーザとの対話インタフェースを持つ表示装置、特にデジタル方式のテレビジョン放送を受信・表示するための表示装置に関する。
【背景技術】
【０００２】
近年のテレビジョン放送は、アナログからデジタル方式へと変換が進み、映像、音声以外の情報も同時に伝送を行なえるようになった。これに伴い、その受信機であるテレビもまた、映像・音声・情報の複合データの処理を行なう高機能な情報端末になってきている。この結果、従来のシンプルなアナログテレビでの、リモートコントローラの１ボタンの操作が選局や入力切替えといった１つのテレビ操作に対応するような、シンプルな操作方法では操作が行なえなくなってきている。今までと同様に、可能な操作に対応するボタンをリモートコントローラ上に用意するとその数があまりに多くなり、ユーザにはそれぞれのボタンの意味や位置を覚えることが困難となるためである。このため、前述したような多機能テレビでは、いくつかの操作を段階的に選択させることで目的の処理を達成させる方式を取っている。ユーザは行いたい操作に向かって段階的にボタンを押し、メニューの階層を辿っていくことで目的の処理を達成できる。
【０００３】
しかし、この方法ではボタンの操作回数が増加し、また種々の目的の処理を達成するために異なる操作の順番やボタンがあるため、ユーザに負担となる。
【０００４】
これに対して従来技術としては、テレビ操作でのシーンごとに可能な操作をサブメニューボタンから一意にサブメニューとして表示呼び出しを行うことで、ユーザに行ないたい操作に簡易にたどり着く方法を提案している（例えば、特許文献１に記載）。
【０００５】
図５は従来技術における表示装置の構成のブロック図である。
【０００６】
図５において、テレビジョン放送受信装置本体１１は、デジタル放送を受信してその再生信号を出力する。リモートコントローラ１２は視聴者の外部からの操作を受信装置本体１１に入力する。テレビジョン受像器２１は入力された映像出力をテレビジョン画面２２に出力し、音声出力をスピーカー２３に出力する。
【０００７】
リモートコントローラ１２のサブメニューキー１３は、現在可能な処理をサブメニューとしてテレビジョン画面に表示する指示を出力する。
【０００８】
テレビジョン放送受信装置本体１１は、受信部１４と、デコーダ部１５、ソフトウェア部１８、ＯＳＤ部１９を含む。受信部１４は外部アンテナからの放送電波の入力に対して、選局されているチャンネルの放送データを出力する。デコーダ部１５は、入力データをデコードし、表示用のデータに変換して出力する。ＯＳＤ部１９は入力の指示に応じて、図形や文字を出力する。ソフトウェア部１８は、入力に応じたイベント処理を行い、出力のＯＳＤを決定し、画面表示の指示を出力する。ソフトウェア部１８では、シーン記述という、受信機の１状態に対応しその状態時にイベントが発生した場合呼び出すハンドラとその処理内容が記述されている管理データ、が管理される。イベント発生時に呼び出すハンドラ（シーンハンドラ、キー入力ハンドラ）の準備を、受信機の状態が移行する度に設定するイベント設定部、リモートコントローラ１２の入力内容を処理しイベント発生時は設定されているハンドラにしたがって処理プログラムを呼び出す入力処理部、処理結果に基づき操作可能なメニュー内容の描画指示を出力する描画部、を含む。
【特許文献１】特開平１１−１１２９０１号公報
【発明の開示】
【発明が解決しようとする課題】
【０００９】
上記従来の表示装置ではサブメニューを用い当該シーンにおける可能操作を表示することで、ユーザに簡易に目的の操作へたどり着くようにしている。しかし、シーンにおいて可能な操作が限定される場合には有効だが、メニューの上位階層のように可能な操作が多岐に渡る場合では用いることが出来ない。また、現在操作可能な操作を細かく羅列して見せることによって、かえってユーザには不必要な情報を多量に提示することになり、ユーザの利便性が悪化していた。
【００１０】
本発明の目的は、ユーザのそれまでの操作履歴から、ユーザが必要とする操作を容易に選択することが可能なメニュー表示する表示意装置を提供することである。
【課題を解決するための手段】
【００１１】
ユーザのメニュー操作における選択肢の選択回数をそれぞれ保存し、そこから求められる選択肢の選択率を元にして、選択率が高い選択肢ほど強調表示をするようにメニューの選択肢の画像サイズを自動で変更する。
【発明の効果】
【００１２】
本発明により、テレビ受信機の階層メニューの表示を優先度に応じた強調表示で行うことが出来、同一の機器であっても、使用するユーザの使い方に応じてそのユーザが選択しやすいメニュー表示を行うことが出来る。
【発明を実施するための最良の形態】
【００１３】
以下本発明を実施するための最良の形態について、図面を参照しながら説明する。
【００１４】
（実施の形態１）
図１は本発明の実施形態における表示装置の構成を示すブロック図である。
【００１５】
本発明の表示装置は、テレビ受像器２，リモートコントローラ３からなる。
テレビ受像器２は、外部の指示操作を入力として受け取り、放送の受信、画像生成、画像表示を行う。リモートコントローラ３はボタン３１を含み、選択されたボタンの情報を赤外線で出力する。ボタン３１は外部からの指示、操作を受けるためのリモートコントローラ３上の物理装置であり、ユーザはボタン３１を操作して目的の指示をする。
【００１６】
テレビ受像器２は、操作内容受信部２１と、ＯＳＤ（Ｏｎ  Ｓｃｒｅｅｎ  Ｄｉｓｐｌａｙ）コントロール部１と表示画面２２からなる。
【００１７】
操作内容受信部２１は、リモートコントローラ３から赤外線で送られてくる操作内容を受信し、リモートコントローラ３の操作したボタンを示すリモコンコードを受信データから抜き出し、操作データとして出力する。ＯＳＤコントロール部１は、入力された操作データに従って、ＯＳＤの表示・非表示を判断し、表示の場合はＯＳＤ画像データを生成し、出力する。
【００１８】
表示画面２２はＯＳＤ画像データの入力を受け取り、他テレビ画像と合成の上、テレビ画面に出力・表示する。
【００１９】
ＯＳＤコントロール部１は、ＣＰＵ１１、メモリ１２、選択数更新部１３、表示ＯＳＤ決定部１４、ＯＳＤ画像生成部１５からなる。
【００２０】
ＣＰＵ１１は操作内容受信部２１から操作データを受ける。ＣＰＵ１１はメニューの状態を管理する。ＣＰＵ１１は操作データによって指示されたメニューの選択肢の状態変更（選択フォーカスの移動、選択肢の選択）を判断し、操作データが選択肢を選択する操作であった場合は、現表示メニューのメニューＩＤと選択肢ＩＤを選択数更新部１３に出力する。ここで、メニューＩＤとは選択肢群をもつメニューを一意に示すＩＤであり、選択肢ＩＤとはあるメニューに属する選択肢をメニューＩＤ内にて一意に示すＩＤである。また、ＣＰＵ１１は、選択された選択肢ＩＤに基づいて次に表示するメニューを判断し、次に表示するメニューのメニューＩＤとそのメニューＩＤに属する複数の選択肢ＩＤ群を表示ＯＳＤ決定部１４に出力する。
【００２１】
メモリ１２はメニューの背景画像や選択肢の画像データ、選択肢群の合成済みメニュー画像のデータや、メニューＩＤに対する各選択肢ＩＤに対する選択数データを保持している。ここで、選択数データとは、選択肢がユーザの操作によって選択された回数に関するデータであり、メニューIDに属する選択肢IDそれぞれに対して記録される。
【００２２】
選択数更新部１３は、現在表示しているメニュー状態を示すメニューＩＤと、当該メニューＩＤのうち一つの選択肢を示す選択肢ＩＤを、入力として受ける。選択数更新部１３はこの入力データのペア（メニューＩＤ及び選択肢ＩＤ）を元に、選択数をメモリより読み出す。そして、当該選択肢ＩＤに対する選択数について、１を加算し、再度メモリ１２に出力する。
【００２３】
表示ＯＳＤ決定部１４は表示するメニューのメニューＩＤと当該メニューＩＤに属する複数の選択肢ＩＤを入力として受ける。表示ＯＳＤ決定部１４は当該メニューＩＤと当該メニューＩＤに属する選択肢ＩＤを元に各選択肢ＩＤの選択数をメモリ１２より読み出し、それぞれの選択肢ＩＤの選択率を計算する。選択率はメニューＩＤに属する選択肢群の各選択数を総計した総選択数＝ＳＵＭ（選択肢選択数）を求めた上で、選択率＝（選択肢ＩＤに対する選択数／総選択数）×１００によって求められる。その後、求めた選択率に基づいて、それぞれの選択肢の表示画像サイズを求める。選択肢の表示画像サイズは画像サイズ＝選択肢ＩＤの選択率×選択肢基準画像サイズ（選択肢ＩＤごとの既定値）によって求められる。表示ＯＳＤ決定部１４はメニューＩＤ、当該メニューＩＤに属する選択肢ＩＤと各選択肢ＩＤに対応する選択肢の画像サイズを出力する。
【００２４】
ＯＳＤ画像生成部１５は、メニューＩＤと当該メニューＩＤに属する選択肢ＩＤと各選択肢ＩＤに対応する選択肢の画像サイズを入力として受ける。ＯＳＤ画像生成部１５は、まずメニューＩＤを元にメモリ１２より表示のベースとなるメニュー画像を読み出す。ベースとなるメニュー画像とはメニュー画面の背景画や、前表示メニューの選択肢群の合成された表示画像である。次に、選択肢ＩＤに基づき、基準画像サイズの選択肢画像を読み出す。そして、各選択肢ＩＤに対する画像サイズを元に、画面上に表示する選択肢の画像の大きさに変換し、ＯＳＤ画像データを作成する。表示するメニューの選択肢について、全てで繰り返し、合成した上で完成したＯＳＤ画像データを出力する。
【００２５】
なお、ユーザの操作データを伝達するのに本発明ではリモートコントローラを用いたが、これはテレビ受像器本体に用意されたスイッチによる指示でも良い。
【００２６】
表示画面２２はＯＳＤ画像生成部１５で生成されたＯＳＤ画像データと映像信号等を合成し表示する。
【００２７】
次に選択率を用いて表示画像を作成するＯＳＤコントローラ部の処理について図２のフローチャートを用いて説明する。
まず、リモートコントローラ３からよりユーザ操作である操作データが送信され、操作内容受信部２１が操作データを取得する（Ｓ１）。次に、この操作データがメニュー選択肢の選択操作であった場合（Ｓ２）、選択された選択肢のメモリ上に保持されている選択回数を１増加させる（Ｓ３）。
【００２８】
操作データが新たに選択肢をもったメニューを呼び出す選択の場合（Ｓ４）、次に表示するメニュー情報が読み込まれる（Ｓ５）。次に表示するメニューが、前の選択の確認メニューではない場合（Ｓ６）は、メモリ１２より各選択肢の選択回数を読み出す。前の選択の確認メニューとは、前メニューにて選択した選択肢を確定として良いかどうかをたずねる確認のメニューである。次に表示するメニューの選択肢がそのような選択肢の場合は、それらの選択肢の選択回数の読出しは行なわない。その後、各選択肢の選択回数を元に各選択率を計算する。この選択率を元に、選択肢の画像サイズをアスペクト比を維持した状態で拡大する（Ｓ７）。
【００２９】
画像サイズを変更した選択肢の画像とそれ以外の画像を合成の上、メニューのＯＳＤ画像が作られ（Ｓ８）、画面表示が行われる（Ｓ９）。
【００３０】
本発明により、テレビ受信機のメニューの表示をより使用頻度が高いものほど強調表示出来るようになり、ユーザが選択肢を選びやすいメニュー表示を行うことが可能になる。このため、同一の機器であっても、使用するユーザの使い方に応じたユーザごとのメニュー表示生成を自動で行うことが可能になる。
【００３１】
表示画面２２に表示される選択肢の例を図３，４に示す。
【００３２】
図３はサイズ変更をされたメニュー選択肢が表示画面２２に表示されている状態を示した例である。メニュー１〜５という大枠のメニューの次にｍｅｎｕ１〜５の細かいメニューを選択していく階層メニューである。図３の状態は、メニュー１〜５のもっとも選択率の高い３が選択され、次のメニューの選択肢群であるｍｅｎｕ１〜５が表示された状態である。
【００３３】
Ｍｅｎｕ１〜５の表示処理では、メニュー１〜５を合成したベース画像に加えて、ｍｅｎｕ１〜５をそれぞれ選択率に応じて拡大したものを合成している。この例ではｍｅｎｕ４、次いでｍｅｎｕ２の選択率が高い。
【００３４】
また、図４は選択メニューの選択肢が表示されているテレビ画面の状態を示した例である。この例では録画メディアの選択が選択肢として表示されている。ハードディスク（ＨＤＤ）への録画の選択肢がもっとも選択率が高く、次いでブルーレイディスク（ＢＤ）、ＤＶＤという順が、画像の表示サイズに比例して表示されている。
【産業上の利用可能性】
【００３５】
本発明の表示装置は、選択率というユーザの使用履歴を元にメニュー表示を変更・表示し、使用するユーザに応じたメニューの強調表示を行うことが出来るため、固定的にしかメニューを使わないユーザには限られたメニューが大きく表示され、多くのメニューを使いこなすユーザには多くのメニューが選択肢として並列に表示される。このため、ユーザ層に合わせたメニューをテレビにいくつも実装する必要がなくなり、ソフトウェア開発上有用である。
【図面の簡単な説明】
【００３６】
【図１】本発明の実施の形態１における表示装置の構成を示すブロック図
【図２】本発明の実施の形態１における表示装置のフローチャート
【図３】実施の形態１における階層選択メニュー表示の一例を示す図
【図４】実施形態１における選択メニュー表示の他の一例を示す図
【図５】従来技術における表示装置の構成を示すブロック図
【符号の説明】
【００３７】
１    ＯＳＤコントロール部
２    受信受像器
３    リモートコントローラ
３１    センサ・ボタン
１１    ＣＰＵ
１２    メモリ
１３    選択数更新部
１４    表示ＯＳＤ決定部
１５    ＯＳＤ画像生成部
２２    表示画面部
【図１】
2009021831.tif 000003
【図２】
2009021831.tif 000004
【図３】
2009021831.tif 000005
【図４】
2009021831.tif 000006
【図５】
2009021831.tif 000007